(57)【要約】【課題】害者向け等のため入力装置の入力確定時間が長く設定されている場合でも，特定処理を行うために複数の操作キーを操作する際の操作時間を短縮できること。【解決手段】入力確定時間に満たない入力時間で順次入力（未確定入力）される操作キー入力の順列が，特定入力モードへの移行処理を実行するための操作キー入力の順列（特定処理実行キー順列）に一致した場合に特定入力モードへ移行する（Ｓ３６）とともに，入力確定時間を短い時間に変更する（Ｓ３７）。操作キーが入力確定時間以上継続して入力（確定入力）された場合には，それまでの操作キー入力の順列をクリア（Ｓ１５）し，それより後の操作キー入力の順列のみについて，特定処理実行キー順列との一致を判断する。さらに，未確定入力の順列におけるその入力に要した時間が，所定の上限時間以内である場合（Ｓ２２のＮｏ側）にのみ特定処理実行キー順列との一致を判断する。【選択図】図２
2004206458.tif 000002
【特許請求の範囲】
【請求項１】
複数の操作キーを備えた入力装置における前記操作キーが所定の入力確定時間以上継続して入力されたときに該操作キーの入力を確定する操作入力処理方法において，
入力時間が前記入力確定時間を満たしたか否かにかかわらず，順次入力される前記操作キーの入力の順列が特定の処理を実行するための前記操作キーの入力の順列である特定処理実行キー順列に一致した場合に，前記特定の処理を実行することを特徴とする操作入力処理方法。
【請求項２】
複数の操作キーを備えた入力装置における前記操作キーが所定の入力確定時間以上継続して入力されたときに該操作キーの入力を確定する操作入力処理方法において，
前記入力確定時間に満たない入力時間で順次入力される前記操作キーの入力の順列が，特定の処理を実行するための前記操作キーの入力の順列である特定処理実行キー順列に一致した場合に，前記特定の処理を実行することを特徴とする操作入力処理方法。
【請求項３】
前記特定の処理が，特定の入力モードへ移行する処理である請求項１又は２のいずれかに記載の操作入力処理方法。
【請求項４】
前記操作キーが前記入力確定時間以上継続して入力された場合には，該操作キーの入力より後の前記操作キーの入力の順列のみについて，前記特定処理実行キー順列との一致を判断するものである請求項２又は３のいずれかに記載の操作入力処理方法。
【請求項５】
順次入力される前記操作キーの入力の順列におけるその入力に要した時間が，所定の上限時間以内である場合にのみ前記特定処理実行キー順列との一致を判断するものである請求項１〜４のいずれかに記載の操作入力処理方法。
【請求項６】
前記特定の入力モードへの移行が行われた場合に，前記入力確定時間を前記特定の入力モードへ移行する前の前記入力確定時間よりも短い時間に変更するものである請求項３〜５のいずれかに記載の操作入力処理方法。
【請求項７】
前記特定の入力モードにおいて，前記特定の入力モードを解除するための所定の前記操作キーの入力が行われた場合には，前記入力確定時間を前記特定の入力モードへ移行する前の前記入力確定時間に戻すものである請求項６に記載の操作入力処理方法。
【請求項８】
複数の操作キーを備え，該操作キーが所定の入力確定時間以上継続して入力されたときに該操作キーの入力を確定するよう構成された入力装置において，
特定の処理を実行するための前記操作キーの入力の順列である特定処理実行キー順列を記憶する特定処理実行キー順記憶手段と，
入力時間が前記入力確定時間を満たしたか否かにかかわらず，順次入力される前記操作キーの入力の順列を一時記憶する入力キー順一時記憶手段と，
前記入力キー順一時記憶手段における前記操作キーの入力の順列が前記特定処理実行キー順記憶手段における前記操作キーの入力の順列と一致した場合に前記特定の処理を実行する特定処理実行手段と，
を具備してなることを特徴とする入力装置。
【請求項９】
複数の操作キーを備え，該操作キーが所定の入力確定時間以上継続して入力されたときに該操作キーの入力を確定するよう構成された入力装置において，
特定の処理を実行するための前記操作キーの入力の順列である特定処理実行キー順列を記憶する特定処理実行キー順記憶手段と，
前記入力確定時間に満たない入力時間で順次入力される前記操作キーの入力の順列を一時記憶する入力キー順一時記憶手段と，
前記入力キー順一時記憶手段における前記操作キーの入力の順列が前記特定処理実行キー順記憶手段における前記操作キーの入力の順列と一致した場合に前記特定の処理を実行する特定処理実行手段と，
を具備してなることを特徴とする入力装置。
【発明の詳細な説明】
【０００１】
【発明の属する技術分野】
本発明は，電子機器等に用いられる複数の操作キーを備えた入力装置における操作入力処理方法及び入力装置に関するものである。
【０００２】
【従来の技術】
一般に，電子機器等においては複数の操作キーを備えた入力装置が用いられる。従来，このような入力装置には，例えば時刻設定キー等のように通常は操作する必要のない操作キーに誤って手が触れる等の誤操作を防止するため，操作キーが所定の入力確定時間以上継続して入力されたときに初めてその操作キーの入力を確定するよう構成されたものがある。しかし，このような構成とすると，操作に時間がかかるため，例えば，特許文献１では，所定の操作キーが前記入力確定時間以上操作されて入力が確定すると，一定時間だけその操作キーに対応するグループの操作キーについての前記入力確定時間を短くすることが提案されている。
一方，例えばメンテナンス作業員向けの入力モードへの移行処理等のように，一般の利用者向けとは異なる特定の処理（例えば，メンテナンス用の特別の処理を受付けるための特定の入力モードへの移行（切り替え）処理）を実行する場合，その特定の処理を実行するための操作キーの入力の順列（所定の複数の操作キーを所定の順序で入力する並び）を予め記憶しておき，順次入力される操作キーの入力の順列が，予め記憶された操作キーの入力の順列と一致した場合に，その特定の処理が実行されるよう構成されたものがある。これにより，一般の利用者が操作しないような操作キー入力の順列を前記特定の入力モードへの移行用の操作キー入力として記憶しておけば，一般の利用者が誤ってメンテナンス作業者向けの機能を実行させてしまうこと等を防止できる。
また，特許文献２には，印刷データの中に混在する複数バイトのコード列からなる制御コマンドを識別するために，受信データを受信バッファに転送しつつ所定の最長コマンド分別バッファに格納して制御コマンドであるか否かを判定する技術が示されている。
【０００３】
【特許文献１】
特開平１１−３３８６１９号公報
【特許文献２】
特開平８−２２１２２８号公報
【０００４】
【発明が解決しようとする課題】
しかしながら，近年，手指の機能等に障害のある利用者が目的の操作キー以外のキーを操作して誤動作が生じることを防止するためにも前記入力確定時間を長く設定することが行われる。このような場合，特許文献１に示されるようなキー入力方式とすると，障害者等のために前記入力確定時間を長く設定している意味がなくなってしまうという問題点があった。
また，このように前記入力確定時間を長く設定した場合において，特許文献２に示される技術を適用し，確定した操作キー入力の順列に基づいて特定の処理を実行するための操作キー入力の順列であるか否かを判定するよう構成すると，特定の処理を実行させるための操作に時間がかかるという問題点があった。
従って，本発明は上記事情に鑑みてなされたものであり，その目的とするところは，障害者向け等のために入力確定時間が長く設定されている場合であっても，特定の処理を行うために複数の操作キーを操作する際の操作時間を短縮できる操作入力処理方法及び入力装置を提供することにある。
【０００５】
【課題を解決するための手段】
上記目的を達成するために本発明は，複数の操作キーを備えた入力装置における前記操作キーが所定の入力確定時間以上継続して入力されたときに該操作キーの入力を確定する操作入力処理方法において，入力時間が前記入力確定時間を満たしたか否かにかかわらず，順次入力される前記操作キーの入力の順列が，特定の処理を実行するための前記操作キーの入力の順列である特定処理実行キー順列に一致した場合に，前記特定の処理を実行することを特徴とする操作入力処理方法，或いは，複数の操作キーを備えた入力装置における前記操作キーが所定の入力確定時間以上継続して入力されたときに該操作キーの入力を確定する操作入力処理方法において，前記入力確定時間に満たない入力時間で順次入力される前記操作キーの入力の順列が，特定の処理を実行するための前記操作キーの入力の順列である特定処理実行キー順列に一致した場合に，前記特定の処理を実行することを特徴とする操作入力処理方法である。
これにより，障害者向け等のために前記入力確定時間が長く設定されている場合であっても，特定の処理を行うための操作については，各キー操作の入力確定を必ずしも待つことなく（入力時間が前記入力確定時間を満たしたか否かにかかわらず，或いは前記入力確定時間に満たない入力時間の入力で）前記特定処理実行キー順列との一致が判定されるので，特定の処理を行うための操作時間を短縮できる。ここで，前記特定処理実行キー順列を，通常操作として行わないような順列に設定しておけば，利用者が誤って前記特定の処理を実行させてしまうことを防止できる。
ここで，前記特定の処理としては，例えば，メンテナンス作業員向けの入力モードへ移行する処理のように，特定の入力モードへ移行する処理であることが考えられる。
【０００６】
また，前記操作キーが前記入力確定時間以上継続して入力された場合には，該操作キーの入力より後の前記操作キーの入力の順列のみについて，前記特定処理実行キー順列との一致を判断することが考えられる。
これにより，例えば，通常の処理の実行のために前記入力確定時間を超える入力時間での入力（以下，確定入力という）の操作が行われている場合に，該確定入力の前後に，無意識に前記入力確定時間に満たない入力時間での入力（以下，未確定入力という）が行われた場合に，前記確定入力の前後に跨って入力された前記未確定入力の順列が前記特定の処理を実行するための入力であるとして誤判定されることを防止できる。
【０００７】
また，順次入力される前記操作キーの入力（即ち，前記未確定入力）の順列におけるその入力に要した時間が，所定の上限時間以内である場合にのみ前記特定処理実行キー順列との一致を判断することが考えられる。
これにより，例えば，ある利用者が無意識に行った前記未確定入力に，その次の利用者が無意識に行った前記未確定入力が足しあわされた操作入力の順列に基づいて前記特定の処理が実行されるといった，一定時間以上前に（過去に）入力された前記未確定入力を参照して誤判定することを防止できる。
【０００８】
また，前記特定の入力モードへの移行が行われた場合に，前記入力確定時間を前記特定の入力モードへ移行する前の前記入力確定時間よりも短い時間に変更することが考えられる。
これにより，前記特定の入力モード（例えば，メンテナンス作業員向けの入力モード）に移行した後は，障害者向け等のために設定された前記入力確定時間よりも十分短い通常の入力確定時間での操作が可能となり，操作時間を短縮できる。
この場合，前記特定の入力モードにおいて，前記特定の入力モードを解除するための所定の前記操作キーの入力が行われた場合には，前記入力確定時間を前記特定の入力モードへ移行する前の前記入力確定時間（障害者向け等のために設定された前記入力確定時間）に戻せばよい。
【０００９】
また，本発明は，前記操作入力処理方法を具現する入力装置として捉えたものであってもよい。
即ち，複数の操作キーを備え，該操作キーが所定の入力確定時間以上継続して入力されたときに該操作キーの入力を確定するよう構成された入力装置において，特定の処理を実行するための前記操作キーの入力の順列である特定処理実行キー順列を記憶する特定処理実行キー順記憶手段と，入力時間が前記入力確定時間を満たしたか否かにかかわらず，順次入力される前記操作キーの入力の順列を一時記憶する入力キー順一時記憶手段と，前記入力キー順一時記憶手段における前記操作キーの入力の順列が前記特定処理実行キー順記憶手段における前記操作キーの入力の順列と一致した場合に前記特定の処理を実行する特定処理実行手段と，を具備してなることを特徴とする入力装置，或いは複数の操作キーを備え，該操作キーが所定の入力確定時間以上継続して入力されたときに該操作キーの入力を確定するよう構成された入力装置において，特定の処理を実行するための前記操作キーの入力の順列である特定処理実行キー順列を記憶する特定処理実行キー順記憶手段と，前記入力確定時間に満たない入力時間で順次入力される前記操作キーの入力の順列を一時記憶する入力キー順一時記憶手段と，前記入力キー順一時記憶手段における前記操作キーの入力の順列が前記特定処理実行キー順記憶手段における前記操作キーの入力の順列と一致した場合に前記特定の処理を実行する特定処理実行手段と，を具備してなることを特徴とする入力装置である。
【００１０】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る入力装置Ｘの概略構成を表すブロック図，図２は本発明の実施の形態に係る入力装置Ｘにおける操作入力処理の手順を表すフローチャート，図３は本発明の実施の形態に係る入力装置Ｘにおける操作入力処理の一部である確定入力処理の手順を表すフローチャートである。
【００１１】
まず，図１に示すブロック図を用いて，本発明の実施の形態に係る入力装置Ｘの構成について説明する。
入力装置Ｘは，複数の操作キーからなる入力手段１ａと所定の表示手段とからなる操作部１，ＭＰＵ及びその周辺装置からなり当該入力装置Ｘ全体を制御する制御部２（前記特定処理実行手段の一例），経過時間を計時するためのタイマ５，該タイマ５により時間の経過とともに順次カウントアップされるカウンタを記憶するカウンタ記憶部３，例えばメンテナンス作業員向けの入力モード等の特定の入力モード（以下，特定入力モードという）へ移行する処理を実行するための操作キーの入力の順列である特定キー順列（前記特定処理実行キー順列の一例）及び後述する入力確定時間，並びに前記特定入力モードへ移行するための操作キー入力に許容される上限時間である特定キー入力上限時間等の各種パラメータを記憶するパラメータ記憶部４（前記特定処理実行キー順記憶手段の一例），順次入力される操作キーの入力（入力信号）が順次格納される（操作キー入力の順列が格納される）キー入力バッファ６（前記入力キー順一時記憶手段の一例），及び所定の入力確定時間以上継続して操作キーが入力されたときにその操作キーの入力（入力信号）が確定入力として記憶される確定キーバッファ７を具備している。
前記入力確定時間は，初期状態では，手指の機能等に障害のある利用者が目的の操作キー以外のキーを操作して誤動作が生じることを防止するために，一般的な入力確定時間より長い時間（例えば２秒程度）に設定されている。
【００１２】
次に，図２及び図３に示すフローチャートを用いて，入力装置Ｘにおける操作入力処理の手順について説明する。以下，Ｓ１０，Ｓ１１，…は，処理手順（ステップ）の番号を表すものとする。図２及び図３に示す処理の制御は，前記制御部２により行われる。
入力装置Ｘに電源が投入されて起動すると，まず，所定の初期化処理が行われる（Ｓ１０）。この初期化処理では，操作キーが継続して入力されている時間を計時するためのキー入力時間カウンタのリセット，前記特定キー入力上限時間の経過を判別するための特定キー操作時間カウンタのリセット等の各種パラメータの初期化が行われる。初期化されたカウンタは，前記カウンタ記憶部３に格納され，以後，前記タイマ５により時間の経過とともに順次カウントアップされる。また，初期状態として，前記特定入力モードではない通常の入力モード（以下，通常入力モードという）に設定される。
次に，いずれかの操作キーが入力されたか否か（即ち，いずれかのキー入力信号がＯＮとなったか否か）が判別される（Ｓ１１）。ここで，いずれかの操作キーが入力された，即ち，いずれかの操作キー入力ありと判別された場合は，前記キー入力時間カウンタのチェックにより前記入力確定時間を経過しているか否か，即ち，前記確定入力と前記未確定入力とのいずれであるかが判別され（Ｓ１２），経過していない（前記未確定入力である（入力が確定していない））と判別された場合はＳ３１へ移行し，そうでない場合はＳ１３へ移行する。
【００１３】
Ｓ３１では，前記キー入力バッファ６を参照することにより，入力された操作キーが前回に入力された操作キーから変化しているか否かが判別される。この判別は，Ｓ１１で検出された操作キーの入力信号が，前記キー入力バッファ６に最後に格納された操作キーの入力信号と一致するか否かをチェックすることにより行われる。即ち，一致すれば変化なし，一致しなければ変化ありと判別される。ここで，操作キーの入力が前回から変化していないと判別された場合は，Ｓ１１へ戻って所定の周期で処理が繰り返される。一方，操作キーの入力が変化していると判別された場合は，前記キー入力バッファ６が空か否か（操作キーの入力信号が格納されているか否か）がチェックされ（Ｓ３２），空でない場合はそのまま，空である場合（即ち，今回の操作キーの入力から入力操作が開始となる場合）は，前記特定キー操作時間カウンタがリセット（Ｓ３３）された後，今回操作された操作キーの入力信号（Ｓ１１で検出された入力信号）が前記キー入力バッファ６に格納される（Ｓ３４）。
さらに，前記キー入力バッファ７内の操作キーの入力信号の順列と前記パラメータ記憶部４内の前記特定キー順列とが一致するか否かが判別され（Ｓ３５），一致しない場合には，Ｓ１１へ戻って所定の周期で処理が繰り返される。これに対し，前記キー入力バッファ７内の操作キーの入力信号の順列と前記特定キー順列とが一致する場合には，前記特定入力モードへの移行処理（Ｓ３６）が行われるとともに，前記入力確定時間が，障害者向け等である長い時間から通常の一般的な短い入力確定時間（例えば，０．２秒程度）に設定変更（Ｓ３７）された後，Ｓ１１へ戻って所定の周期で処理が繰り返される。
【００１４】
一方，Ｓ１１において，いずれの操作キーも入力されていないと判別された場合は，前記キー入力時間カウンタがリセットされる（Ｓ２１）。さらに，前記特定操作時間カウンタのチェックにより前記特定キー入力上限時間を経過（タイムアップ）しているか否かが判別され，経過していない場合にはそのままＳ１１へ戻って所定の周期で処理が繰り返される。一方，前記特定キー入力上限時間を経過（タイムアップ）している場合には，前記キー入力バッファ６に格納されている操作キーの入力信号が全て消去（Ｓ２３，バッファクリア）された後，Ｓ１１へ戻って所定の周期で処理が繰り返される。
また，いずれかの操作キーが入力された場合であって（Ｓ１１のＹｅｓ側），前記キー入力時間カウンタのチェックにより前記入力確定時間を経過している（前記確定入力である）と判別された場合（Ｓ１２のＹｅｓ側）には，今回操作された操作キーの入力信号（Ｓ１１で検出された入力信号）が前記確定キーバッファ７に格納される（Ｓ１３）。これにより，前記確定入力の信号が前記確定キーバッファ７に格納されることになる。
次に，前記確定キーバッファ７に格納された前記確定入力に基づく処理を行う所定の確定入力処理（Ｓ１４，これについては後述する）が実行され，さらに，前記キー入力バッファ６がクリア（Ｓ１５）された後，Ｓ１１へ戻って所定の周期で処理が繰り返される。
【００１５】
次に，図３のフローチャートを用いて，前記確定入力処理（図２のＳ１４）の手順について説明する。
前記確定入力であると判別されると（図２のＳ１２のＹｅｓ側），現状が前記特定入力モードであるか否かが判別され（Ｓ４１），前記特定入力モードではない場合は，前記確定キーバッファ７に格納された操作キーの入力信号に基づいて，前記通常入力モード（非特定入力モード）における所定の処理が実行された後，当該確定入力処理が終了する。
一方，現状が前記特定入力モードである場合には，前記確定キーバッファ７に格納された操作キーの信号が，所定の特定入力モード解除キーに対応する信号であるか否かが判別され（Ｓ４２），前記特定入力モード解除キーに対応する信号ではない場合には，前記確定キーバッファ７に格納された操作キーの入力信号に基づいて，前記特定入力モードにおける所定の処理が実行された後，当該確定入力処理が終了する。
これに対し，前記特定入力モード解除キーに対応する信号である場合には（Ｓ４２のＹｅｓ側），前記特定入力モードが解除されＳ４３（前記通常入力モードへの移行処理が実行され），さらに，前記入力確定時間が前記特定入力モードにおいて用いられる短い時間から前記通常入力モードで用いられる長い時間（前記特定入力モードへ移行する前の前記入力確定時間）に変更された（戻された）後，当該確定入力処理が終了する。
【００１６】
図２に示す処理により，実際の運用状況では，以下のような処理の流れとなる。
まず，入力装置Ｘの起動直後は，通常，いずれの操作キーも入力されていないので，Ｓ１１→Ｓ２１→Ｓ２２→Ｓ１１の流れで処理が実行され，前記キー入力時間カウンタがリセットされる。
次に，前記入力確定時間に満たない入力時間での操作キーの入力（前記未確定入力）が順次なされると，Ｓ１１→Ｓ１２→Ｓ３１〜Ｓ３５→Ｓ１１の流れで処理が実行され，操作キーの入力信号が前記キー入力バッファ６に順次格納される。即ち，前記キー入力バッファ６には，前記入力確定時間に満たない入力時間で順次入力される前記操作キーの入力の順列の信号が格納されることになる。
また，操作キーの入力と次の入力との間の時間帯にも，前述のＳ１１→Ｓ２１→Ｓ２２→Ｓ１１の流れの処理が実行され，前記キー入力時間カウンタがリセットされる。この間，前記特定キー操作時間カウンタは時間経過とともにカウントアップされている。
そして，前記キー入力バッファにおける操作キー入力の順列が前記特定キー順列と一致した場合に，前記特定入力モードへの移行処理が行われるとともに，前記入力確定時間が一般的な短い時間に変更される（Ｓ３５→Ｓ３６→Ｓ３７）。
これにより，障害者向け等のために前記入力確定時間が長く設定されている場合であっても，前記特定入力モードへの移行処理を行うための操作については，各キー操作の入力確定を待つことなく（前記未確定入力によって）前記特定キー順列との一致が判定されるので，前記特定入力モードへ移行するための操作時間を短縮できる。しかも，前記特定キー順列を，通常操作として行わないような順列に設定しておけば，利用者が誤って前記特定入力モードへ移行する操作を行うことを防止できる。さらに，前記特定入力モードにおいては，例えばメンテナンス作業員向け等に短い操作時間でのキー操作が可能となる。
【００１７】
しかし，前記未確定入力の入力時間間隔が長いため，前記未確定入力の順列におけるその入力に要した時間が前記特定キー入力上限時間を超える場合は，Ｓ１１→Ｓ２１→Ｓ２２→Ｓ２３の流れ出処理が実行され，それまでに格納された前記未確定入力の信号がクリアされ，前記特定キー順列との一致判断（Ｓ３５）の対象から除外される。即ち，前記未確定入力の順列におけるその入力に要した時間が，前記特定キー入力上限時間以内である場合にのみ前記特定キー順列との一致が判断される（Ｓ３５）ことになる。
これにより，例えば，ある利用者が無意識に行った前記未確定入力の信号が前記キー入力バッファ６に残った状態で，その次の利用者が無意識に行った前記未確定入力の信号が前記キー入力バッファ６に追加して格納され，そのような前記未確定入力の順列に基づいて前記特定入力モードへの移行処理が実行されるといった誤動作を防止することができる。
【００１８】
一方，操作キーが前記入力確定時間以上継続しての入力（前記確定入力）がなされた場合には，前記キー入力バッファ６がクリアされるので（Ｓ１２→…→Ｓ１５），以後，その操作キーの入力より後の操作キーの入力の順列のみについて，前記特定キー順列との一致が判断されることになる。
これにより，例えば，通常の処理（前記特定入力モードへの移行処理とは異なる処理）の実行のために前記入力確定時間を超える入力時間での入力（前記確定入力）の操作が行われている場合に，該確定入力の前後に，無意識に前記入力確定時間に満たない入力時間での入力（前記未確定入力）が行われた場合に，前記確定入力の前後に跨って入力された前記未確定入力の順列が偶然に前記特定キー順列と一致して前記特定入力モードへ移行するという誤動作を防止できる。
もちろんＳ１５の前記キー入力バッファ６のクリア処理を行わないようにし，操作キーの入力時間が前記入力確定時間を満たしたか否かにかかわらず，順次入力される操作キーの順列をチェックするよう構成してもかまわない。
【００１９】
【発明の効果】
以上説明したように，本発明によれば，障害者向け等のために入力確定時間が長く設定されていても，その入力確定時間を満たしたか否かに関わらず，或いはその入力確定時間に満たない入力時間で順次入力される操作キーの入力の順列に基づいて特定の処理が実行されるので，その特定の処理を行うための操作については，各キー操作の入力確定を必ずしも待つことなく操作時間を短縮することができる。しかも，特定の処理を実行するための操作キーの順列を通常操作として行わないような順列に設定しておけば，利用者が誤って前記特定の処理を実行させてしまうことを防止できる。
また，操作キーが入力確定時間以上継続して入力された場合には，その操作キーの入力より後の操作キーの入力の順列のみに基づいて特定の処理を実行するための操作であるか否を判断することや，入力確定時間に満たない入力時間で順次入力される操作キーの入力に要した時間が所定の上限時間以内である場合にのみ特定の処理を実行するための操作であるか否を判断することにより，利用者が無意識に行った操作キーの入力に基づいて誤った処理がなされることを防止できる。
さらに，特定の処理が，例えば，メンテナンス作業員向けの入力モードへ移行する処理のように，特定の入力モードへ移行する処理である場合に，その特定の入力モードへの移行が行われた際に，入力確定時間を短い時間に変更することにより，その特定の入力モードに移行した後は，障害者向け等のために設定された入力確定時間よりも十分短い通常の入力確定時間での操作が可能となり，操作時間を短縮できる。
【図面の簡単な説明】
【図１】本発明の実施の形態に係る入力装置Ｘの概略構成を表すブロック図。
【図２】本発明の実施の形態に係る入力装置Ｘにおける操作入力処理の手順を表すフローチャート。
【図３】本発明の実施の形態に係る入力装置Ｘにおける操作入力処理の一部である確定入力処理の手順を表すフローチャート。
【符号の説明】
１…操作部
１ａ…複数の操作キーからなる入力手段
１ｂ…表示手段
２…制御部
３…カウンタ記憶部
４…パラメータ記憶部
５…タイマ
６…キー入力バッファ
７…確定キーバッファ
Ｓ１０，Ｓ１１，，…処理手順（ステップ）
【図１】
2004206458.tif 000003
【図２】
2004206458.tif 000004
【図３】
2004206458.tif 000005